(57)【要約】【課題】  良好な排水効率を確保し得ることに加えて、捕集した毛髪やごみ等の固形物の除去の容易な排水栓用ヘアキャッチャーを提供する。【解決手段】  排水栓本体１２より排水口管２中に垂設される排水栓スライド軸３の外周に嵌装される排水栓用ヘアキャッチャー１において、排水中の毛髪やごみ等の固形物４を捕集し得る複数の放射状捕集リブ５を排水栓スライド軸３の外周から排水口管２の内壁６に近接配置されるリング体７まで形成するとともに、放射状捕集リブ５をリング体７から排水栓スライド軸３の方向に向かって低くなるように錐状に傾斜して形成するので、固形物４が捕集部９に集積される一方、放射状捕集リブ５相互間の隙間が、毛髪やごみ等の固形物４で塞がれることはなく、放射状捕集リブ５相互間の隙間での良好な排水効率を確保し得る。【選択図】図２
2005307616.tif 000002
【特許請求の範囲】
【請求項１】
排水栓本体より排水口管中に垂設され下端に錘部を有する排水栓スライド軸の外周に嵌装される排水栓用ヘアキャッチャーであって、排水中の固形物を捕集し得る複数の放射状捕集リブを前記排水栓スライド軸の外周から前記排水口管内壁に近接配置されるリング体まで形成するとともに、前記放射状捕集リブを前記リング体から前記排水栓スライド軸の方向に向かって低くなるように錐状に傾斜して形成することを特徴とする排水栓用ヘアキャッチャー。
【請求項２】
前記放射状捕集リブが、可撓性を有する材料で形成されることを特徴とする請求項１記載の排水栓用ヘアキャッチャー。
【発明の詳細な説明】
【技術分野】
【０００１】
本発明は、洗面化粧台等に使用可能な排水栓用ヘアキャッチャーに関するものである。
【背景技術】
【０００２】
従来の排水栓用ヘアキャッチャーとしては、例えば、図３に示すように円環状の内環１４と円環状の外環１５との間に放射状捕集リブ５を設け、外環１５の外周に必要に応じて捕集突起１６を設けて形成した排水栓用ヘアキャッチャー１ａが知られている。しかし、かかる従来の排水栓用ヘアキャッチャー１ａにおいては、例えば、洗面化粧台の洗面ボウル等に落ちた毛髪やごみ等の固形物４を上記排水栓用ヘアキャッチャーに１ａて捕集する場合、図４に示すように毛髪やごみ等の固形物４が捕集されて毛髪やごみ等が全面に亙って排水路を塞ぐこととなり、極端に排水効率が低下するという問題があった。また、放射状捕集リブ５や捕集突起１６に毛髪やごみ等の固形物４が絡まった場合の清掃時における作業性が悪いという問題もあった。
【０００３】
本願出願人においても、かかる問題点に対応するため、既に、例えば、特開平１０−８８６３８号公報（特許文献１）において、図５に示すような、さらなる改良を加えた排水栓用ヘアキャッチャー１ｂを開示している。このような排水栓用ヘアキャッチャー１ｂによれば、毛髪やごみ等の固形物４は、円錐状に配置された放射状捕集リブ５に沿って流れて周囲のフランジ部１８、１９に溜まり、放射状捕集リブ５の中央近傍での排水流路は確保でき、全体として充分な排水効率を確保し得ることとなった。その一方で、フランジ部１８、１９に溜まった毛髪やごみ等の固形物４が、狭いフランジ部１８、１９の全周にわたって溜まることとなり、特に、毛髪等は絡まりあって溜まるため、フランジ部１８、１９に溜まった毛髪の除去は容易でなく、捕集した毛髪やごみ等の固形物４の除去の観点からは、依然として改良の余地を残すものであった。
【特許文献１】特開平１０−８８６３８号公報
【発明の開示】
【発明が解決しようとする課題】
【０００４】
本発明は、上記背景技術に鑑みて発明されたものであり、その課題は、良好な排水効率を確保し得ることに加えて、捕集した毛髪やごみ等の固形物の除去の容易な排水栓用ヘアキャッチャーを提供することである。
【課題を解決するための手段】
【０００５】
上記課題を解決するために、請求項１に係る発明の排水栓用ヘアキャッチャーにあっては、排水栓本体より排水口管中に垂設され下端に錘部を有する排水栓スライド軸の外周に嵌装される排水栓用ヘアキャッチャーであって、排水中の固形物を捕集し得る複数の放射状捕集リブを前記排水栓スライド軸の外周から前記排水口管内壁に近接配置されるリング体まで形成するとともに、前記放射状捕集リブを前記リング体から前記排水栓スライド軸の方向に向かって低くなるように錐状に傾斜して形成することを特徴とするものである。
【０００６】
請求項２に係る発明の排水栓用ヘアキャッチャーにあっては、請求項１記載の排水栓用ヘアキャッチャーにおいて、前記放射状捕集リブが、可撓性を有する材料で形成されることを特徴とするものである。
【発明の効果】
【０００７】
本発明の排水栓用ヘアキャッチャーでは、排水栓本体より排水口管中に垂設され下端に錘部を有する排水栓スライド軸の外周に嵌装される排水栓用ヘアキャッチャーであって、排水中の固形物を捕集し得る複数の放射状捕集リブを前記排水栓スライド軸の外周から前記排水口管内壁に近接配置されるリング体まで形成するとともに、前記放射状捕集リブを前記リング体から前記排水栓スライド軸の方向に向かって低くなるように錐状に傾斜して形成するので、毛髪やごみ等の固形物は、所定の捕集部に集積される一方、放射状捕集リブ相互間の隙間が、毛髪やごみ等の固形物で塞がれることはなく、かかる放射状捕集リブ相互間の隙間での良好な排水効率を確保し得ることとなる。
【０００８】
さらに、前記放射状捕集リブを、可撓性を有する材料で形成することにより、上記放射状捕集リブの結合したリング体を下方に引き下げることにより、上記リング体から排水栓スライド軸の方向に向かって低くなるような傾斜を有する複数の放射状捕集リブの錐状形状を上下に逆転せしめ、リング体から排水栓スライド軸の方向に向かって高くなるような傾斜を有する錐状形状とすることにより捕集した毛髪やごみ等の固形物の除去が容易に実現し得ることとなる。
【発明を実施するための最良の形態】
【０００９】
以下、本発明の実施形態を図面に基づき説明する。ここで、図１は、本発明の一実施形態である排水栓用ヘアキャッチャーを装着した洗面ボールの概略を模式的に示す要部断面図である。一方、図２は、本発明の一実施形態である排水栓用ヘアキャッチャーの装着の概略を模式的に示す要部断面図である。すなわち、本実施形態の排水栓用ヘアキャッチャー１は、例えば、図１に示すように、洗面化粧台における洗面ボール１０の排水栓１１の排水口管２に適用可能である。すなわち、排水栓１１の上部に、排水栓本体（ケレップ）１２が、配置され、この排水栓本体１２の下面周囲には、Ｏリング１３が、取付けられている。
【００１０】
さらに、具体的には、本実施形態の排水栓用ヘアキャッチャー１は、図２に示すように、排水栓本体１２より排水口管２中に垂設され、下端に錘部８を有する排水栓スライド軸３の外周に嵌装されるものであって、排水中の固形物４を捕集し得る複数の放射状捕集リブ５を前記排水栓スライド軸３の外周から前記排水口管２の内壁６に近接配置されるリング体７まで形成するとともに、放射状捕集リブ５をリング体７から排水栓スライド軸３の方向に向かって低くなるように錐状に傾斜して形成したものである。
【００１１】
すなわち、毛髪やごみ等の固形物４が混入した排水は、排水口管２中に流入し、排水栓用ヘアキャッチャー１の錐状に傾斜した複数の放射状捕集リブ５を通過する。その際、排水は、この放射状捕集リブ５相互間の隙間を通過してさらに下方に流下する。一方、排水口管２に流入した毛髪やごみ等の固形物４は、リング体７から排水栓スライド軸３の方向に向かって低くなるように錐状に傾斜した複数の放射状捕集リブ５に捕集された後、最終的には捕集部９に集積されることとなる。この結果、毛髪やごみ等の固形物４は、捕集部９に集積される一方、放射状捕集リブ５相互間の隙間が、毛髪やごみ等の固形物４で塞がれることはなく、放射状捕集リブ５相互間の隙間での良好な排水効率を確保し得ることとなる。
【００１２】
一方、本実施形態の排水栓用ヘアキャッチャー１では、上記放射状捕集リブ５が、可撓性を有する材料で形成されている。かかる可撓性を有する材料としては、例えば、各種エラストマー類等が例示可能であるが、特にこれらのみに限定されるものではなく、上記課題解決に寄与し得る限りにおいて、特に制約のないことはいうまでもない。この結果、この放射状捕集リブ５の結合したリング体７を下方に引き下げることにより、上記リング体７から排水栓スライド軸３の方向に向かって低くなるような傾斜を有する複数の放射状捕集リブ５の錐状形状を上下に逆転せしめ、リング体７から排水栓スライド軸３の方向に向かって高くなるような傾斜を有する錐状形状とすることにより捕集した毛髪やごみ等の固形物４の除去が容易に実現し得ることとなる。
【００１３】
このように、本実施形態の排水栓用ヘアキャッチャー１では、排水栓本体１２より排水口管２中に垂設され下端に錘部８を有する排水栓スライド軸３の外周に嵌装される排水栓用ヘアキャッチャーであって、排水中の固形物４を捕集し得る複数の放射状捕集リブ５を前記排水栓スライド軸３の外周から前記排水口管２の内壁６に近接配置されるリング体７まで形成するとともに、前記放射状捕集リブ５をリング体７から排水栓スライド軸３の方向に向かって低くなるように錐状に傾斜して形成するので、毛髪やごみ等の固形物４は、捕集部９に集積される一方、放射状捕集リブ５相互間の隙間が、毛髪やごみ等の固形物４で塞がれることはなく、放射状捕集リブ５相互間の隙間での良好な排水効率を確保し得ることとなる。
【００１４】
さらに、放射状捕集リブ５を、可撓性を有する材料で形成することにより、放射状捕集リブ５の結合したリング体７を下方に引き下げることにより、リング体７から排水栓スライド軸３の方向に向かって低くなるような傾斜を有する複数の放射状捕集リブ５の錐状形状を上下に逆転せしめ、リング体７から排水栓スライド軸３の方向に向かって高くなるような傾斜を有する錐状形状とすることにより捕集した毛髪やごみ等の固形物４の除去が容易に実現し得ることとなる。
【００１５】
なお、本発明の排水栓用ヘアキャッチャーは、上記の実施形態にのみ限定されるものではなく、本発明の要旨を逸脱しない範囲内において種々変更を加え得ることは勿論である。また、本発明の排水栓用ヘアキャッチャーは、上記実施形態に示すような洗面化粧台における洗面ボールの排水口に係るもののみならず、浴槽の排水口、台所の排水口等においても同様に実施可能である。
【図面の簡単な説明】
【００１６】
【図１】本発明の一実施形態である排水栓用ヘアキャッチャーを装着した洗面ボールの概略を模式的に示す要部断面図である。
【図２】本発明の一実施形態である排水栓用ヘアキャッチャーの装着の概略を模式的に示す要部断面図である。
【図３】従来例に係る排水栓用ヘアキャッチャーの装着の様子を概略的に示す斜視図である。
【図４】上記従来例に係る排水栓用ヘアキャッチャーに毛髪やごみ等の固形物が捕集された様子を概略的に示す部分斜視図である。
【図５】上記と異なる従来例に係る排水栓用ヘアキャッチャーの装着の様子を概略的に示す斜視図である。
【符号の説明】
【００１７】
１    排水栓用ヘアキャッチャー
１ａ  排水栓用ヘアキャッチャー（従来例）
１ｂ  排水栓用ヘアキャッチャー（従来例）
２    排水口管
３    排水栓スライド軸
４    固形物
５    放射状捕集リブ
６    内壁（排水口管２）
７    リング体
８    錘部
９    捕集部
１０    洗面ボール（洗面化粧台）
１１    排水栓（洗面ボール１０）
１２    排水栓本体
１３    Ｏリング（排水栓本体１２）
１４    内環（排水栓用ヘアキャッチャー１ａ）
１５    外環（排水栓用ヘアキャッチャー１ａ）
１６    捕集突起
１７    ガイド部材（排水栓用ヘアキャッチャー１ａ）
１８    フランジ部（排水栓用ヘアキャッチャー１ｂ）
１９    フランジ部（排水栓用ヘアキャッチャー１ｂ）
２０    筒体（排水栓用ヘアキャッチャー１ｂ）
２１    オーバーフロー管
２２    スリップワッシャ
２３    ナット
２４    Ｌ型テールピース
２５    三角パッキン
【図１】
2005307616.tif 000003
【図２】
2005307616.tif 000004
【図３】
2005307616.tif 000005
【図４】
2005307616.tif 000006
【図５】
2005307616.tif 000007